(57)【要約】  本発明は、少なくとも２つの電源ユニット及び少なくとも１つの電力消費構成要素を有するアセンブリ、アセンブリを制御するコンピュータシステム、及びその方法に関する。本発明は、入力側において少なくとも１つの電源電圧（３）から出力側における動作電圧を生成する少なくとも２つの電源ユニット（１Ａ，１Ｂ，１Ｃ）と、少なくとも２つの電源ユニット（１Ａ，１Ｂ，１Ｃ）に電気的に結合された少なくとも１つの電力消費構成要素（８）とを有するアセンブリに関する。アセンブリは、少なくとも２つの電源ユニット（１Ａ，１Ｂ，１Ｃ）の機能をモニタし、そして少なくとも１つの電源ユニット（１Ｂ）の故障の場合に、通常動作モードから制限された動作モードに切り換え、又は以前に非アクティブにされた電力ユニット（１Ｃ）をアクティブにするように設計されていて、制限された動作モードの電力消費は通常動作モードの消費電力より小さい。本発明は更に、上記アセンブリ及び管理構成要素（１９）を有するコンピュータシステム（１２）並びに上記アセンブリを制御する方法（２０）に関する。
2012511199.tif 000002
【特許請求の範囲】
【請求項１】
少なくとも１つの入力側電源電圧から出力側動作電圧を生成する少なくとも２つの電源ユニット、
第１電力消費により少なくとも１つの通常動作モードで動作され、前記第１電力消費より低い少なくとも１つの第２電力消費により制限された動作モードで動作する少なくとも１つの電力消費構成要素であって、前記電力消費構成要素は前記少なくとも２つの電源ユニットに電気的に結合され、前記通常動作モードにある前記電力消費構成要素の前記第１電力消費は前記少なくとも２つの電源ユニットの結合された出力電力より小さい、少なくとも１つの電力消費構成要素、並びに
前記少なくとも２つの電源ユニット及び前記電力消費構成要素に結合され、そして前記少なくとも２つの電源ユニットの機能をモニタリングして、少なくとも１つの電源ユニットが前記通常動作モードで必要な電力を供給する必要がない場合に、前記少なくとも１つの電源ユニットを非アクティブにするように設定された制御手段、
を有することを特徴とするアセンブリ。
【請求項２】
請求項１に記載のアセンブリであって、前記通常動作モードで前記必要な電力を前記電力消費構成要素に供給するように、少なくとも１つのアクティブな電源ユニットの故障時
に、前記少なくとも１つの非アクティブな電源ユニットをアクティブにするように前記制御手段がまた、設定されることを特徴とするアセンブリ。
【請求項３】
請求項１又は２に記載のアセンブリであって、
残りの電力ユニットの結合された出力電力が前記電力消費構成要素の前記通常動作モードにおける第１電力消費より小さい場合に、少なくとも１つの電源ユニットの故障時に、前記通常動作モードから前記制限された動作モードに前記電力消費構成要素を切り替えるように、前記制御手段がまた、設定される、
ことを特徴とするアセンブリ。
【請求項４】
請求項３に記載のアセンブリであって、所定の制御信号が受け入れられたときに、前記電力消費構成要素をスロットリングするように意図され、少なくとも１つのモニタリング装置に結合されたスロットル装置及び少なくとも１つの電源ユニットの故障時に、前記制御手段は前記所定の制御信号を生成するための前記少なくとも１つのモニタリング装置を有する、ことを特徴とするアセンブリ。
【請求項５】
請求項に記載のアセンブリであって、前記電力消費構成要素はプロセッサコアを有し、前記スロットル装置は、動作クロックにより前記プロセッサコアを供給するためのクロック発生回路を有し、前記プロセッサコアは、前記クロック発生回路により前記通常動作モードにおいて第１動作クロックが供給され、前記制限された動作モードで、第２の低い動作クロックが供給される、ことを特徴とするアセンブリ。
【請求項６】
請求項５に記載のアセンブリであって、前記プロセッサコア及び前記クロック発生回路はプロセッサ内に備えられ、該プロセッサは、前記所定の制御信号を供給する少なくとも１つの接続ピンを有する、ことを特徴とするアセンブリ。
【請求項７】
請求項４乃至６の何れか一項に記載のアセンブリであって、
前記少なくとも２つの電源ユニットの各々は、許容出力電力又は許容出力電流をモニ夕リングするように意図され、前記許容出力電力又は前記許容出力電流を上回ったことの検出時に所定の制御信号を生成するように設定されているモニタリング装置を有する、
ことを特徴とするアセンブリ。
【請求項８】
請求項４乃至６の何れか一項に記載のアセンブリであって、
前記少なくとも１つのモニタリング装置は、所定の闘値と前記出力側動作電力を比較し、前記所定の闘値を下回るときには、前記所定の制御信号を生成するように設定されている電圧モニタリング回路を有する、
ことを特徴とするアセンブリ。
【請求項９】
請求項１乃至３の何れか一項に記裁のアセンブリであって、
前記アセンブリは複数の電源ユニットを有し、電源ユニットの第１サブグループは前記通常動作モードで必要な電力を供結するのに十分であり、第２のより少ない電源ユニットのサブグループであって、特に個別の電源ユニットは、前記制限された動作モードで必要
な電力を供給するのに十分である、
ことを特徴とするアセンブリ。
【請求項１０】
請求項１乃至７の何れか一項に記載の少なくとも１つのアセンブリ、及び
制御手段に結合され、少なくとも１つの電源構成要素が故障したときに故障状態の信号
を送るように設定されている少なくとも１つの管理構成要素、
を有することを特徴とするコンピュータシステム．
【請求項１１】
請求項１０に記載のコンピュータシステムであって、
前記管理構成要素は、通信装置を介して遠隔保守システムに結合され、該遠隔保守シス
テムに前記故障状態の信号を送るように設定されることが可能である、
ことを特徴とするコンピュータシステム。
【請求項１２】
請求項１０又は１１に記載のコンピュータシステムであって、
前記管理構成要素は、当該コンピュータシステムの電力消費を低減するように、前記故障状態の信号を送る時点で、当該コンピュータシスデムの構成を変えるように設定されている、
ことを特徴とするコンピュータシステム。
【請求項１３】
請求項１２に記載のコンピュータシステムであって、
前記管理構成要素は、前記制眼された動作モードから前記通常動作モードに戻るように前記電力消費構成要素を切り替えるように前記構成を変えた後に、前記制御手段をリセットするように設定されている、
ことを特徴とするコンピュータシステム。
【請求項１４】
電力消費構成要素、及び前記電力消費構成要素のための動作電圧を供給する少なくとも２つの電源ユニット有するアセンブリを制御する方法であって、通常動作モードにおける前記電力消費構成要素の第１の電力消費は前記少なくとも２つの電源ユニットの結合された出力電力より小さい、方法であり、
少なくとも１つの電源ユニットは、該電源ユニットが前記通常動作モードにおいて必要な電力を供給する必要がない場合には、非アクティブにされるステップ、
前記少なくとも１つの電点ユニットは、少なくとも１つのモニタリング装置により故障をモニタリングされるステップ、
前記少なくとも１つのモニタリング装置は、前記の少なくとも１つの電源ユニットの故障が検出された場合に、所定の制御信号を生成するステップ、及び
前記所定の制御信号が決定され、残りの電源ユニットの結合された出力電力が前記電力消費構成要素の前記通常動作モードにおける第１の電力消費より小さい場合に、前記電力消費構成要素は、前記第１の電力消費による前記通常動作モードから第２の低い電力消費による制限された動作モードに切り換えられるステップ、
を有する方法。
【請求項１５】
請求項１４に記載の方法であって、
前記所定の制御信号が検出された場合、前記アセンブリを有するコンピュータシステムの構成が変えられるステップ、
を更に有する、方法。
【請求項１６】
請求項１５に記載の方法であって、
前記電力消費構成要素は、前記構成が変えられた後に、前記制限された動作モードから前記通常動作モードに戻るように切り換えられるステップ、
を更に有する、方法。
【請求項１７】
請求項１４乃至１６の何れか一項に記載の方法であって、
少なくとも１つの以前に故障した電源ユニットが再び動作の準備ができていることを前記少なくとも１つのモニタリング装置が検出した場合、前記電力消費構成要素は、前記制限された動作モードから前記通常動作モードに戻るように切り換えられるステップ、
を更に有する、方法。
【発明の詳細な説明】
【技術分野】
【０００１】
本発明は、少なくとも２つの電源ユニットに電気的に結合された少なくとも１つの電力消費構成要素及び少なくとも１つの入力側供給電圧構成要素から出力側動作電圧を生成する少なくとも２つの電源ユニットを有するアセンブリに関する。更に、本発明は、そのようなアセンブリを有するコンピュータシステム、並びに電力消費構成要素及び電力消費構成要素のために動作電圧を供給する少なくとも２つの電源ユニットを有するアセンブリを制御する方法に関する。
【背景技術】
【０００２】
少なくとも１つの消費構成要素のための動作電圧を供給する少なくとも２つの電源ユニットを有するアセンブリについては広く知られている。特に、高性能又は高可能性サーバの分野においては、電力供給ユニットはしばしば、冗長化されてデザインされ、そのために、１つ又はそれ以上の電源が故障したときでさえ、そのコンピュータシステムを動作させることが尚も可能である。更に、複数の冗長化された電源ユニットを有する更なるアセンブリについては、通信、制御及びモニタリングシステムの分野で知られている。
【０００３】
冗長化された電源ユニットの数及び性能は、電力消費構成要素の電力消費に依存して異なり得る。特に、２つ以上の高性能な冗長化された電源ユニットがしばしば、このような場合に、所謂、高可能性システムにおいて提供される。
【０００４】
従来のアセンブリは２つの基本的な不利点を有している。一方では、各々の電源ユニットは、通常動作のために必要以上に強力であるようにデザインされなければならない。このような場合には単に、電源ユニットが故障したときでさえ、残りの電源ユニットが最大出力電力を上回って負荷が掛からないことが保証される。このことは、特に、強力な電源ユニットは中程度の又は低い性能の電源ユニットに比べてかなり高価であるために、アセンブリのコスト増加に繋がる。
【０００５】
更に、従来のアセンブリにおける全ての電源ユニットは一般に、動作状態にあり、電力消費構成要素の電力供鈴に寄与する。従って、各々の電源ユニットは、通常動作中にその最大定絡出力電力よりかなり低く動作される。しかしながら、このことは、少なくとも１つの入力側電源電圧から出力側の動作電圧を供給する同様なコンバータ回路及び切り替え可能型電源の場合にはエネルギー効率を低下させる。これは、最も高い可能な効率を得るように、略最大出力電力で電源ユニットを動作させることが有利であることによるものである。
【発明の概要】
【発明が解決しようとする課題】
【０００６】
本発明の日的は、上記の種類のアセンブリ、そのようなアセンブリを有するコンピュータシステム、そのようなアセンブリを制御する方法を提供するものであり、そのようなアセンブリが上記の課題を解決する又は軽減することである。この場合、全体としてのアセンブリ、特に、電源構成要素のための電源の故障安全性は、少なくとも１つの電源ユニットが故障したときでさえ、保証されるように意図されている。エネルギーバランスが有利に、従来のアセンブリに比べて改善されるように意図されている。更に、そのアセンブリは、最も単純な可能な構成を有するように意図され、高いコストパフォーマンスで製造することができるように意図されている。
【課題を解決するための手段】
【０００７】
上記の目的は、少なくとも１つの入力側電源電圧及び少なくとも１つの電力消費構成要素から出力側動作電圧を生成する少なくとも２つの電源ユニットを有するアセンブリにより達成される。電力消費構成要素は、第１の電力消費による少なくとも１つの通常動作モードで動作されることが可能であり、第１の電力消費より小さい少なくも１つの第２の電力消費による限定された動作モードで動作されることが可能であり、通常動作モードにある電力消費構成要素の第Ｉ電力消費は、少なくとも２つの電源ユニットの組み合わされた出力電力より小さい。そのアセンブリはまた、少なくとも２つの電源ユニット及び電力消費構成要素に結合された制御ユニットを有し、少なくとも２つの電源ユニットの機能をモニタし、この電源ユニットが通常動作モードにおいて必要な電力を供給する必要がない場合に少なくとも１つの電源ユニットを非アクティブにするように設定されている。
【０００８】
そのようなアセンブリは、通常必要とされない全電力を有する２つの冗長化された電源ユニットが備えられているときでさえ、略最大出力において個別の電源ユニットの高効率な動作が保証される有利点を有する。
【０００９】
有利な一実施形態に従って、制御手段はまた、少なくとも１つの電源ユニットが通常動作モードで必要な電力を電力消費構成要素に供給するのに失敗したときに、少なくとも１つの非アクティブにされた電源ユニットをアクティブにするように設定されている。そのような構成は、アセンブリが、エネルギー効率を同時に維持しながら、妨害されることなく動作されることを可能にする。
【００１０】
有利な一実施形態に従って、残りの電源ユニットの結合された電力出力が、電力消費構成要素の通常動作モードの第１の電力消費より小さい場合に、少なくとも１つの電力ユニットが故障したときに、制御手段はまた、通常動作モードから制限された動作モードに電力消費構成要素を切り替えるように設定されている。少なくとも１つの電源ユニットが故障したときに、より小さい電力消費の限定された動作モードに電力消費構成要素を切り替える制御手段を用いることにより、電力消費構成要素が電力を供鈴されることを同時に保証しながら、更なる電源ユニットがなくても済むようにする、又は既存の電源ユニットの対応する大きい供給を可能にする。
【００１１】
有利な一実施形態に従って、制御手段は、少なくとも１つの電源ユニットが故障したときに、所定の制御信号を生成する少なくとも１つのモニタリング装置と、制御信号が受信されたときに、モニタリング装置に結合され、電力消費構成要素をスロットリングするように意図されているスロットル装置と、を有する。電源ユニットをモニタリングするモニタリング装置及び電力消費構成要素をスロットリングするスロットル装置を使用することにより、他方で、制御手段の特に単純なモジュール設計が可能になる。特に、電源ユニットの既存のモニタリング装置及び／又は電力消費構成要素のスロットル装置は、本発明に従って制御手段を実施するように用いられることが可能である。
【００１２】
有利な一実施形態に従って、電力消費構成要素はプロセッサコアを有し、スロットル装置は、動作クロックをプロセッサコアに供結するクロック発生回路を有し、プロセッサコアは、クロック発生回路により通常動作モードにおいては第１動作クロックが供給され、制限された動作モードにおいては低い第２のクロックが供給される。電力消費構成要素の電力消費は、プロセッサコアのためのクロック発生回路を適切に駆動する又は接続することにより容易に減少されることが可能である。
【００１３】
他の有利な実施形態に従って、プロセッサコア及びクロック発生回路は、プロセッサ内に配置され、そのプロセッサは所定の制御信号を適用するための少なくとも１つの接続ピンを有する。接続ピンは、処理の内部クロック発生回路に外部制御信号を容易に供給するように用いられることが可能である。
【００１４】
他の有利な実施形態に従って、少なくとも２つの電源ユニットの各々は、許容出力電力又は許容出力電流をモニタするように意図され、許容出力電力又は許容出力電流を上回ったことを検出した時点で、所定の制御信号を生成するように設定されたモニタリング装置を有する。電源ユニットに統合され、出力電力又は出力電流をモニタリングするように意図されたモニ夕リング装置は、必要な制御信号を生成するように特に簡単な様式で用いられることが可能である。
【００１５】
他の有利な実施形態に従って、少なくとも１つのモニタリング装置は、出力側動作電圧を所定の闘値と比較して、その所定の閏値を下回る場合に所定の制御信号を生成するように設定されている電圧モニタリング回路を有する。そのような電圧モニタリング回路は、電源ユニットの故障に関連付けられる電圧降下が簡単な且つ迅速な方法で決定されるようにする。
【００１６】
他の有利な実施形態に従って、そのアセンブリは複数の電源ユニットを有し、電源ユニットの第１サブグループは通常動作モードで必要な電力を供鈴するのに十分であり、電源ユニットのより低い第２サブグループであって、特に個別の電源ユニットは、制限された動作モードで必要な電力を供給するのに十分である。そのようなアセンブリは、通常必要とされない全電力を有する複数の冗長化された電源ユニットが備えられているときでさえ、略最大出力電力で個別の電源ユニットの高効率動作が保証されるという有利点を有する。例えば、各々が、通常動作モードで必要な電力消費の約５０％船の出力電力を供給するそれらの電源ユニットを備えることが可能である。それらの電源ユニットの２つは通常、通常動作モードで電力消費構成要素に電力供給するように用いられるが、２つの電源ユニットが故障した場合には、残りの第３の電源ユニットのみが、制限された動作モードで電力消費構成要素に電力供給するように用いられる。
【００１７】
基本的な目的は、上記の実施形態の１つに従った少なくとも１つのアセンブリと、制御手段に結合され、少なくとも１つの電源構成要素が故障したときに不良状態の信号を送るように設定された少なくとも１つの管理構成要素と、を有するコンピュータシステムにより同様に達成することができる。制御手段に結合された管理構成要素が不良状態の信号を送ることの結果として、そのコンピュータシステムは、電源ユニットの故障に対して反応することができる。
【００１８】
有利な一実施形態に従って、管理構成要素は、通信装置を介して遠隔保守システムに結合され、その遠隔保守システムに不良状態の信号を送るように設定されている。コンピュータシステムのシステム管理者は、遠隔保守システムに信号が送られる不良状態のために電源ユニットの故障について助言されることが可能である。
【００１９】
他の有利な実施形態に従って、管理構成要素は、コンピュータシステムの電力消費を減少させるように、不良状態の信号を送る時点でコンピュータシステムの構成を変えるように設定されている。コンピュータシステムの電力消費は、コンピュータシステムを再構成することにより電源ユニットの変えられた出力電力に適合される。
【００２０】
他の有利な実施形態に従って、管理構成要素は、制限された動作モードから通常動作モードに戻るように電力消費構成要素を切り替えるように構成を変えた後に、制御手段をリセットするように設定されている。故障した電源ユニットを用いることなく信頼できる状態でコンピュータシステムが現在も動作されるように、コンピュータシステムの構成が変えられた場合に、電力消費構成要素は、通常動作モードに戻るように切り替えられることが可能である。
【００２１】
他の有利な実施形態に従って、コンピュータシステムは、少なくとも２つの電源ユニットが共に、通常動作モードにおいてコンピュータシステムの第１電源消費に実質的に対応する出力電力を有する。電源ユニットは、通常動作モードにおけるコンピュータシステムの電力消費に従って電源ユニットのディメンジョニング（ｄｉｍｅｎｓｉｏｎｉｎｇ）により最適な効率を有する動作ポイントで動作されることが可能である。更に、高価でオーバーディメンジョンの電源ユニットなしで済ませることが可能である。
【００２２】
他の有利な実施形態に従って、コンピュータシステムは、少なくとも２つの電源ユニットの各々が特に、制限された動作モードでコンピュータシステムの第２の電力消費に実質的に対応する出力電力を有することを、特徴とする。コンピュータシステムは、１つを除いて電源ユニットの全てが、制限された動作モードにおけるコンピュータシステムの電力消費に従って電源ユニットのディメンジョニングにより故障した場合でさえ、高信頼性を有する様式で動作され続けることが可能である。
【００２３】
基本的な目的は、電力消費構成要素のために動作電圧を供給する少なくとも２つの電源ユニット及び電力消費構成要素を有するアセンブリを制御する方法であって、通常モードにおいて電力消費構成要素の第１電力消費は少なくとも２つの電源ユニットの結合された出力電力より小さい、方法であり、
−  少なくとも１つの電源ユニットが、この電源ユニットが通常動作モードで必要な電力を供給することが必要ない場合に、非アクティブにされるステップ；
−  少なくとも２つの電源ユニットが、少なくとも１つのモニタリング装置により故障についてモニタリングされるステップ；
−  少なくとも１つのモニタリング装置が、少なくとも１つの電源ユニットの故障が検出された場合に、所定の制御信号を生成するステップ；及び
−  所定の制御信号が検出され、残りの電源ユニットの結合された出力電力が電力消費構成要素の通常動作モードにおける第１電力消費より低い場合に、電力消費構成要素が、第１電力消費による通常動作モードから第２の低い電力消費による制限された操作モードに切り替えられるステップ；
を有する方法により最終的に達成される。
【００２４】
有利な一実施形態に従って、その方法は、少なくとも１つのモニタリング構成要素が、少なくとも１つの以前に故障した電源構成要素が再び動作の準備ができたことを検出した場合、制限された動作モードから通常動作モードに電力消費構成要素が切り替えられる付加的ステップにより特徴付けられる。その方法の付加的ステップの結果、アセンブリは、電源ユニットにおける一時的な不良が取り除かれたときに、通常動作モードに戻るように自動的に切り替えられることが可能である。
【００２５】
本発明の更なる有利な実施形態については、サブクレーム及び詳細説明において開示されている。本発明の例示としての更なる実施形態については以下で、図を用いて詳述して
いる。
【図面の簡単な説明】
【００２６】
【図１】本発明の第１実施形態に従った、２つの電源ユニット及び電力消費構成要素を有するアセンブリの模式図である。
【図２】本発明の第２実施形態に従ったアセンブリを制御する方法のフローチャートである。
【図３】本発明の第３実施形態に従ったアセンブリを有するコンピュータシステムを示す図である。
【図４】本発明の第４実施形態に従ったアセンブリの他の動作状態を示す図である。
【発明を実施するための形態】
【００２７】
図１は、２つの電源ユニット１Ａ、１Ｂを有するアセンブリを示す図である。その例示としての実施形態においては、電源ユニット１Ａ及び電源ユニット１Ｂの最大出力電力は各々において１００Ｗである。両方の電源ユニット１Ａ及び１Ｂは、共通の電圧入力２を介して、電源電圧３、例えば、２３５Ｖの主交流（ＡＣ）に接続されている。
【００２８】
電源ユニット１Ａ及び１Ｂの各々は、入力側電源電圧３から出力側直流（ＤＣ）電圧を供給する変換器回路４Ａ及び４Ｂを有する。例えば、変換器回路４Ａ及び４Ｂは、コンピュータシステムを動作する、例えば、３．３Ｖ、５Ｖ及び１２Ｖの１つ又はそれ以上の標準化された出力電圧を供給する変換器を切り替えることを可能にする。変換器回路４Ａ及び４Ｂの損傷を回避するように、電源ユニット１Ａ及び１Ｂの各々は、例示としての実施形態において、変換器回路４Ａ及び４Ｂの出力電流をモニタリングするモニタリング回路５Ａ及び５Ｂを有する。
【００２９】
第１ユニット１Ａ及び１Ｂのそれぞれの電圧出力６Ａ及び６Ｂはアセンブリの電源線７に結合されている。第１電源ユニット１Ａ及び第２電源ユニット１Ｂの出力電圧は、電力消費構成要素８、例えば、コンピュータシステムのプロセッサに、及び電源線７を介してクロック発生回路９に供給される。電力消費構成要素８及びクロック発生回路９は共に、２つの電源ユニット１Ａ及び１Ｂの出力電力に実質的に対応する入力電力を有する。
【００３０】
クロック発生回路９は、インタラプ夕１０を介して電力消費構成要素８に結合されている。インタラプタ１０はまた、制御線１１を介して第１電源ユニット１Ａ及び第２電源ユニット１Ｂのモニタリング回路５Ａ及び５Ｂに結合されている。制御線１１を介して適切な制御信号を供給することは、従って、クロック信号がクロック発生回路９から電力消費構成要素８に一時的に供給されないようにすることを、又はクロック信号の周波数を低くすることを可能にし、その結果、電力消費構成要素８の電力消費における急速な且つかなりの減少をもたらす。例えば、電力消費構成要素８の電力消費は、数ミリ秒の範囲内に半減される。
【００３１】
電源ユニット１Ａ及び１Ｂの一が図１に示す例示としての実施形態において故障した場合、尚も動作している電源ユニット１Ｂ又は１Ａにおける出力電流は急に塘加する．例えば、第１変換器回路４Ａが完全に故障した場合、電力消費構成要素８及びクロック発生回路９を動作させるための全体的な電流は、第２の電源ユニット１Ｂの変換器回路４Ｂにより供給されなければならない。従って、モニタリング回路５Ｂが応答して、制御線１１を介してインタラプタ１０に制御信号を送信する結果のために、第１変換器回路４Ｂの出力電流が所定のリミット値を上回る。インタラプタ１０において備えられている制御回路は、図１には図示していないが、制御信号の受信時にかなり短い時間内に略同時に電力消費構成要素の電力消費をクロック発生回路９が減少させることを保証する。クロック信号の遮断又は減少は特に、この目的のためには適切である。これは、残りの電源ユニット１Ｂがオーバーロードされないようにする。同時に、電力消費構成要素８の少なくとも瞬間状態が、更なる通知まで確保されることが可能である。
【００３２】
制限された動作モードにおいてアセンブリを動作させるための、及び通常動作モードを回復させるための更なる手段について説明する前に、基本的な制御方法について、図２におけるフローチャートを用いて先ず、説明する。
【００３３】
ステップ２１及び２２においては、第１電源ユニット１Ａ及び第２電源ユニット１Ｂの出力変数について説明している。この出力変数は、例えば、それぞれの電源ユニット１Ａ又は１Ｂの瞬間の出力電力又は瞬間の出力電流であることが可能である。代替として、瞬間の動作電圧又は他のパラメータのレベルもモニタされることが可能である。
【００３４】
電源ユニット１Ａ及び１Ｂの全てが再び有効である場合に、又はモニタリングされるアセンブリの電力消費が他の方法で減少された場合に、電力消費構成要素８は、オプションのステップ２７において適切な制御信号により通常動作モードに戻るように切り替えられることが可能である。例えば、接続ピンＰＲＯＣＨＯＴにおける制御信号は撤回され、その結果、プロセッサコアのスロットリングはキヤンセルされる。
【００３５】
ステップ２８においては続いて、電力消費構成要素の動作クロックは、低い周波数ｆｍｉｎより高い通常の周波数ｆ０に再び増加される。
【００３６】
図３は、電源構成要素１３及びコンピュータユニット１４を有するコンピュータシステム１２を示している。コンピュータシステム１２は、データネットワーク１５を介して遠隔保守システム１６に接続されている。
【００３７】
コンピュータシステム１２の電源構成要素１３は、関連電圧入力２Ａ乃至２Ｃにより多相電源ネットワークの異なる相に接続されている３つの電源ユニット１Ａ乃至１Ｃを有する。電源ユニット１Ａ乃至１Ｃの各々は、図３に示されていず、入力側電源電圧を出力側ＤＣ電圧に変換し、それらを電源構成要素１３の共通電圧出力６において供給する。
【００３８】
コンピュータシステム１２のコンピュータユニット１４は、電圧出力６を介して動作電圧が供給される。特に、動作電圧は、電源線７を介して、２つのプロセッサ１７Ａ及び１７Ｂ、通信装置１８、管理構成要素１９及び一次クロック発生回路９に供給される。一次クロック発生回路９は、プロセッサ１７Ａ及び１７Ｂ並びに管理構成要素１９に外部クロック信号を供給する。
【００３９】
プロセッサ１７Ａ及び１７Ｂの各々は、プロセッサコア３４Ａ及び３４Ｂ並びに二次クロック発生装置３５Ａ及び３５Ｂを有する。例えば、二次クロック発生装置３５Ａ及び３５Ｂは、複数の外部動作クロックであるプロセッサコア３４Ａ及び３４Ｂについての内部動作クロックを生成するように一次クロック発生回路９の外部動作クロックを用いるクロック逓倍器又はクロック比規定手段である。
【００４０】
プロセッサコア３４Ａ及び３４Ｂの内部動作クロックを生成する又は規定する他のクロック発生回路又は変換回路も案出可能であることはいうまでもないことである。
【００４１】
管理構成要素１９は、データバス３０を介してプロセッサ１７Ａ及び１７Ｂ並びに通信装置１８に接続されている。管理構成要素１９は、問い合わせし、必要に応じて、コンピュータユニット１４の個々の構成要素の動作状態を変えるように用いられることが可能である。例えば、管理構成要素１９は、プロセッサ１７Ａ及び１７Ｂに依存しない、そしてコンピュータユニット１４をモニタリングするように意図されている制御プログラムが実行されている、所謂、サービス管理モジュールである。代替として、管理ソフトウェアは、別箇のモニタリングモジュールの代わりにプロセッサ１７Ａ又は１７Ｂの一においても、実行されることが可能である。通信装置１８は、動作状態の信号を送り、また、データネットワーク１５を介して遠隔保守システム１６からコンピュータシステム１２において遠隔保守を実行することを可能にする。
【００４２】
例えば、複数の相線Ｌ１乃至Ｌ３の一の故障のために、電源ユニット１Ａ乃至１Ｃが故障したときでさえ、コンピュータユニットの高信頼性動作を保証するように、コンピュータユニット１４は、コンピュータシステム１２の動作電圧をモニタリングする電圧モニタリング回路３１を有し、その電圧は電圧出力６を介して出力される。図示されている例示としての実施形態においては、電圧モニタリング回路３１は、電源ライン７と既知の基準電位、例えば、接地との間に接続されている第１レジスタ３２Ａ及び第２レジス夕３２Ｂを有する分圧器３２を有する。分圧器３２の中心タップは、所定の基準電圧耐Ｖｒｅｆでタップオフされる電圧を比較する比較器３３に接続されている。例えば、３つの電源ユニット１Ａ乃至１Ｃのうちの一が故障したために、電源線７の電腿が所定レベル以下になる場合、比較器３３はその出力において制御信号を生成する。比較器３３からの制御信号は、第１及び第２プロセッサ１７Ａ及び１７Ｂに、並びに制御線１１を介して管理構成要素１９に供給される。
【００４３】
電圧モニタリング回路３１が電源ユニット１Ａの故障時に電源線７における電圧降下と、制御線１１を介してプロセッサ１７Ａ及び１７Ｂへの前記電圧降下の信号を検出した場合、クロック比規定手段３５Ａ及び３５Ｂは、プロセッサコア３４Ａ及び３４Ｂの動作クロックを減少させる。これは、プロセッサ１７Ａ及び１７Ｂの消聲電力を低減し、その結果として、残りの機能電源ユニット１Ｂ及び１Ｃはコンピュータシステム１２に十分な動作電流を尚も供給することができる。この場合、プロセッサコア３４Ａ及び３４Ｂにおいて実行される処理は、低い速度ではあるが、実行され続け、その結果、コンピュータシステム１２の著しい混乱は生じない。
【００４４】
更に、管理構成要素１９は、電力ユニット１Ａ乃至孔Ｃの一が故障したことを検出し、有利な一実施形態においては、通信装置１８及びデータネットワーク１５を介して遠隔保守システム１６に不良状態の信号を送る。
【００４５】
他の実施形態に従って、管理構成要素１９は、更なる手段がコンピュータユニット１４
の消費電力を自動的に低減するようにさせることが可能である。例えば、コンピュータユニット１４を動作させるために絶対必要ではない構成要素はオフに切り替えられる。図３に示している例示としての実施形態においては、例えば、第２プロセッサコア３４Ｂにおいて実行される処理は、第１プロセッサのプロセッサコア３４Ａに転送されることが可能であり、第２プロセッサ１７Ｂはその場合に、完全にオフに切り替えられることが可能である。コンピュータユニット１４の消費電力が、信頼性高い電源が残りの電源ユニット１Ｂ及び１Ｃを用いて保証される範囲に対して、それらの手段又は比較手段により低減された場合、制御信号１１は撤回されることが可能であり、二次クロック発生回路３５Ａにより尚も動作されている第１プロセッサコア３４Ａに、十分な内部動作周波数が再び適用されることが可能である。
【００４６】
コンピュータシステム１２のフルパフォーマンスを回復させるように、遠隔保守システムを用いて呼び出されたサービスェンジニアは、欠陥のある電源ユニット１Ａを置き換えて、適切な電源電圧の供給を回復することが可能である。その保守作業が終了した後に、第２プロセッサ１７Ｂは続いて、管理構成要素１９により再びアクティブにされることが可能である。これは、例えば、電源線７における電圧上昇を自動検出する電圧モニタリング回路により、及び管理構成要素１９の対応するプログラムコードにより、自動的に実行されることが可能であり、若しくは、例えば、遠隔保守システム１６を介してサービスエンジニアによりマニュアルで初期化されることが可能である。
【００４７】
図３に示す実施形態の一有利点は、ハードウェア回路の形式にある電圧モニタリング３１が、電源ユニット１Ａ乃至１Ｃの一の故障に対して特に迅速な様式で対応することができる、及び、適切な制御信号、例えば、プロセッサ１７Ａ及び１７Ｂに適用されるＰＲＯＣＨＯＴ信号を用いて、コンピュータュニット１４の電力を即座に低減することが可能であることである。この目的のためには、コンピュータユニット１４と電源構成要素１３との間の別箇の制御線又は別箇の通信を必要としない。
【００４８】
更に、保守エンジニアが到着するまで、コンピュータシステムを動作させる複雑な手段が、管理構成要素１９によりコンピュータユニット１４の構成、有効なより遅いモニタリング及びダウンストリームと関連して実行されることが可能である。特に、電圧モニタリング回路３１は、プロセッサ１７Ａ及び１７Ｂの近くに備えられることが可能であり、プロセッサ１７Ａ及び１７Ｂの入力電圧の許容範囲を下回る前に、既に応答した様式でディメンジョニングされることが可能である。コンピュータシステム１２の高信頼性動作が、従って、常に保証されるのである。
【００４９】
図４Ａ乃至４Ｃは、３つの冗長化された電源ユニット１Ａ乃至１Ｃを有する更なるコンピュータシステム１２の異なる動作状態を示している。電源ユニット１Ａ乃至１Ｃは、例えば、共通の電圧入力２を介して、電源電圧３、例えば、主ＡＣ電圧に接続される。
【００５０】
出力側においては、電源ユニット１Ａ乃至１Ｃは、電源ユニット１Ａ乃至１Ｃの動作をモニタリングする共通制御回路３６に接続されている。制御回路３６はまた、個別の電源ユニット１Ａ乃至１Ｃのオン及びオフを意図的に切り替えるように設定されている。例えば、適切な制御信号が、この目的のために、電源ユニット１Ａ乃至１Ｃの各々の個々の電源ユニットに制御回路３６から送信されることができる。電源ユニット１Ａ乃至１Ｃは、例えば、電子的リレー又は電子的機械的リレーにより電圧入力２から変換器回路を切断することにより、又は切り替え変換器を駆動するためのクロック信号を遮断することにより、オフに切り替えられることが可能である。
【００５１】
制御回路３６はまた、電力線７及び制御線１１を介して、１つ又はそれ以上の電力消費構成要素、例えば、プロセッサ又は所謂、サーバブレードに接続され、その電力消費構成要素は、通常動作モード及び制限された動作モードにおいて動作されることが可能である。
【００５２】
図示している例示としての実施形態においては、電源ユニット１Ａ乃至１Ｃの各々は、例えば、５０Ｗの出力パワーを有する。電力消費構成要素８は、例えば、通常動作モードで１００Ｗの電力を消費する。対照的に、電力消費構成要素８は、制限された動作モード
において５０Ｗの電力のみを消費する。
【００５３】
コンピュータシステム１２の特に効率的な動作を確実にするように、制御回路３６は一般に、３つの有効な電源ユニット１Ａ乃至１Ｃのうちの２つのみをアクティブにする。例えば、図４Ａに示している状況下では、第３の電源ユニット１Ｃは非アクティブにされる−方、電源ユニット１Ａ及び１Ｂはアクティブにされる。電力消費構成要素８は、この状況下で、通常動作モードで動作される、即ち、フル消費電力にある。
【００５４】
図４Ｂに示している状況下では、第２電源ユニット１Ｂは、故障が生じた結果として非アクティブになっている。制御回路３６は、第２電源ユニットにおける不良の存在を検出し、第２の電源ユニット１Ｂの故障を補償するように第３の電源ユニット１Ｃを自動的にアクティブにする。電力消費構成要素８は、従って、電源ユニット１Ａ乃至１Ｃの一が故障したときでさえ、フル電力にあって第１動作モードで更に動作されることが可能である。
【００５５】
図４Ｃに示している状況下では、第３の電源ユニット１Ｃはまた、第２の電源ユニット１Ｂに加えて故障している。この場合、制御回路３６は、更なる電源ユニット１Ｃの故障を補償することはできない。残りの電源ユニット１Ａのみがオーバーロードしないように、電力消費構成要素８は制御線１１を介して適切な制御信号を供給される。電力消費構成要素８はその場合、例えば、最小動作周波数ｆｍｉｎに動作周波数正を減少させることにより、制限された動作モードに変えられ、その動作モードにおいて、その電力消費構成要素の消費電力は５０Ｗまで低下する。従って、３つの電源ユニット１Ａ乃至１Ｃのうちの２つが故障したときでさえ、コンピュータシステム１２の一定の動作が保証されることが可能である。
【００５６】
上記のように、図４Ａ乃至４Ｃに示している例示としての実施形態は、高いレベルの故
障安全性を有する。同時に、３つの電源ユニット１Ａ乃至１Ｃは、それらの略最大出力電
力で、従って、上記の状況の各々において最も高い効率で動作されることが可能である。
更に、電源ユニット１Ａ乃至１Ｃのみが通常動作モードにおいて電力消費構成要素８の動
作を与えることができるように、電源ユニット１Ａ乃至１Ｃの各々がディメンジョニング
される必要はない。
【００５７】
図４Ａ乃至４Ｃに関連付けて説明しているシステム、及びこの明細書において一般に説明している制御及びモニタリング装置は、モジュラサーバコンピュータを動作させるために特に適切である。例えば、所謂、ブレードサーバは、互いに殆ど独立している複数のサーバブレードを有し、コンピュータシステムのタスクを処理するために後者に備えられた１つ又はそれ以上のプロセッサを有する。ブレードサーバは同様に、一般に、互いに殆ど独立して動作されることが可能である複数の電源ユニットを有し、サーバブレード及び他の備えられている構成要素に動作電圧を供給する。ブレードサーバの消費電力は、本発明に従ったサーバブレード又は個々のプロセッサをオフに切り換えることにより、有効な電源ユニットに適合されることが可能であり、例えば、ブレードサーバの動作信頼性を疑うことなく、特定の複数のサーバブレードにおいて、他のサーバブレードにそのタスクを再分配することにより、全体としてブレードサーバを再構成することが可能である。
【００５８】
図示されている実施形態は例示としての複数のアセンブリであり、それらのアセンブリの特徴は、実際には何れかの好ましい方法で互いに比較されることが可能である。３つ又は４つ以上の電源ユニットを有する他のアセンブリはまた、上記の方法でモニタリングされ、制御されることが可能であることはいうまでもないことである。
【図１】
2012511199.tif 000003
【図２】
2012511199.tif 000004
【図３】
2012511199.tif 000005
【図４Ａ】
2012511199.tif 000006
【図４Ｂ】
2012511199.tif 000007
【図４Ｃ】
2012511199.tif 000008
【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
少なくとも１つの入力側電源電圧から出力側動作電圧を生成する複数の電源ユニット、
第１電力消費により少なくとも１つの通常動作モードで動作され、前記第１電力消費より低い少なくとも１つの第２電力消費により制限された動作モードで動作する少なくとも１つの電力消費構成要素であって、前記電力消費構成要素は前記複数の電源ユニットに電気的に結合され、前記通常動作モードにある前記電力消費構成要素の前記第１電力消費は前記複数の電源ユニットの結合された出力電力より小さく、その結果、電源ユニットの第１サブグループは前記通常動作モードにおいて必要な電力を供給するのに十分であり、電力ユニットの第２の少ないサブグループ、特に個別の電源ユニットは、前記制限された動作モードにおいて必要な電力を供給するのに十分である、少なくとも１つの電力消費構成要素、並びに
前記少なくとも２つの電源ユニット及び前記電力消費構成要素に結合され、そして前記少なくとも２つの電源ユニットの機能をモニタリングして、少なくとも１つの電源ユニットが前記通常動作モードで必要な電力を供給する必要がない場合に、前記少なくとも１つの電源ユニットを非アクティブにするように設定された制御手段であって、残りの電源ユニットの結合された出力電力が前記電力消費構成要素の前記通常動作モードにおいて前記第１電力消費より小さい場合に、前記制御手段はまた、前記第１サブグループにおける少なくとも１つの電源ユニットの故障時に、前記通常動作モードから前記制限された動作モードに前記電力消費構成要素を切り換えるように設定されていて、その結果、前記電力消費構成要素の前記電力消費は少なくとも一時的に低減される、制御手段；
を有することを特徴とするアセンブリ。
【請求項２】
請求項１に記載のアセンブリであって、前記通常動作モードで前記必要な電力を前記電力消費構成要素に供給するように、少なくとも１つのアクティブな電源ユニットの故障時
に、前記少なくとも１つの非アクティブな電源ユニットをアクティブにするように前記制御手段がまた、設定されることを特徴とするアセンブリ。
【請求項３】
請求項１に記載のアセンブリであって、所定の制御信号が受け入れられたときに、前記電力消費構成要素をスロットリングするように意図され、少なくとも１つのモニタリング装置に結合されたスロットル装置及び少なくとも１つの電源ユニットの故障時に、前記制御手段は前記所定の制御信号を生成するための前記少なくとも１つのモニタリング装置を有する、ことを特徴とするアセンブリ。
【請求項４】
請求項３に記載のアセンブリであって、前記電力消費構成要素はプロセッサコアを有し、前記スロットル装置は、動作クロックにより前記プロセッサコアを供給するためのクロック発生回路を有し、前記プロセッサコアは、前記クロック発生回路により前記通常動作モードにおいて第１動作クロックが供給され、前記制限された動作モードで、第２の低い動作クロックが供給される、ことを特徴とするアセンブリ。
【請求項５】
請求項４に記載のアセンブリであって、前記プロセッサコア及び前記クロック発生回路はプロセッサ内に備えられ、該プロセッサは、前記所定の制御信号を供給する少なくとも１つの接続ピンを有する、ことを特徴とするアセンブリ。
【請求項６】
請求項３項に記載のアセンブリであって、
前記少なくとも２つの電源ユニットの各々は、許容出力電力又は許容出力電流をモニ夕リングするように意図され、前記許容出力電力又は前記許容出力電流を上回ったことの検出時に所定の制御信号を生成するように設定されているモニタリング装置を有する、
ことを特徴とするアセンブリ。
【請求項７】
請求項３に記載のアセンブリであって、
前記少なくとも１つのモニタリング装置は、所定の闘値と前記出力側動作電力を比較し、前記所定の闘値を下回るときには、前記所定の制御信号を生成するように設定されている電圧モニタリング回路を有する、
ことを特徴とするアセンブリ。
【請求項８】
請求項１乃至７の何れか一項に記載の少なくとも１つのアセンブリ、及び
制御手段に結合され、少なくとも１つの電源構成要素が故障したときに故障状態の信号
を送るように設定されている少なくとも１つの管理構成要素、
を有することを特徴とするコンピュータシステム．
【請求項９】
電力消費構成要素、及び前記電力消費構成要素のための動作電圧を供給する複数の電源ユニット有するアセンブリを制御する方法であって、通常動作モードにおける前記電力消費構成要素の第１の電力消費は前記複数の電源ユニットの結合された出力電力より小さく、その結果、電源ユニットの第１サブグループは前記通常動作モードにおいて必要な電力を供給するのに十分であり、電力ユニットの第２の少ないサブグループ、特に個別の電源ユニットは、前記制限された動作モードにおいて必要な電力を供給するのに十分である、方法であり、
少なくとも１つの電源ユニットは、該電源ユニットが前記通常動作モードにおいて必要な電力を供給する必要がない場合には、非アクティブにされるステップ、
前記少なくとも１つの電点ユニットは、少なくとも１つのモニタリング装置により故障をモニタリングされるステップ、
前記少なくとも１つのモニタリング装置は、前記の少なくとも１つの電源ユニットの故障が検出された場合に、所定の制御信号を生成するステップ、及び
前記所定の制御信号が決定され、残りの電源ユニットの結合された出力電力が前記電力消費構成要素の前記通常動作モードにおける第１の電力消費より小さい場合に、前記電力消費構成要素は、前記第１の電力消費による前記通常動作モードから第２の低い電力消費による制限された動作モードに切り換えられ、その結果、前記電力消費構成要素の前記電力消費は少なくとも一時的に低減される、ステップ、
を有する方法。
【手続補正２】
【補正対象書類名】明細書
【補正対象項目名】全文
【補正方法】変更
【補正の内容】
【発明の詳細な説明】
【技術分野】
【０００１】
本発明は、少なくとも２つの電源ユニットに電気的に結合された少なくとも１つの電力消費構成要素及び少なくとも１つの入力側供給電圧構成要素から出力側動作電圧を生成する少なくとも２つの電源ユニットを有するアセンブリに関する。更に、本発明は、そのようなアセンブリを有するコンピュータシステム、並びに電力消費構成要素及び電力消費構成要素のために動作電圧を供給する少なくとも２つの電源ユニットを有するアセンブリを制御する方法に関する。
【背景技術】
【０００２】
少なくとも１つの消費構成要素のための動作電圧を供給する少なくとも２つの電源ユニットを有するアセンブリについては広く知られている。特に、高性能又は高可能性サーバの分野においては、電力供給ユニットはしばしば、冗長化されてデザインされ、そのために、１つ又はそれ以上の電源が故障したときでさえ、そのコンピュータシステムを動作させることが尚も可能である。更に、複数の冗長化された電源ユニットを有する更なるアセンブリについては、通信、制御及びモニタリングシステムの分野で知られている。
【０００３】
冗長化された電源ユニットの数及び性能は、電力消費構成要素の電力消費に依存して異なり得る。特に、２つ以上の高性能な冗長化された電源ユニットがしばしば、このような場合に、所謂、高可能性システムにおいて提供される。
【０００４】
従来のアセンブリは２つの基本的な不利点を有している。一方では、各々の電源ユニットは、通常動作のために必要以上に強力であるようにデザインされなければならない。このような場合には単に、電源ユニットが故障したときでさえ、残りの電源ユニットが最大出力電力を上回って負荷が掛からないことが保証される。このことは、特に、強力な電源ユニットは中程度の又は低い性能の電源ユニットに比べてかなり高価であるために、アセンブリのコスト増加に繋がる。
【０００５】
更に、従来のアセンブリにおける全ての電源ユニットは一般に、動作状態にあり、電力消費構成要素の電力供鈴に寄与する。従って、各々の電源ユニットは、通常動作中にその最大定絡出力電力よりかなり低く動作される。しかしながら、このことは、少なくとも１つの入力側電源電圧から出力側の動作電圧を供給する同様なコンバータ回路及び切り替え可能型電源の場合にはエネルギー効率を低下させる。これは、最も高い可能な効率を得るように、略最大出力電力で電源ユニットを動作させることが有利であることによるものである。
【先行技術文献】
【特許文献】
【０００６】
【特許文献１】米国特許出願公開第２００５／０１７２１５７号明細書
【特許文献２】欧州特許第１５５５５９５号明細書
【特許文献３】米国特許出願公開第２００６／０１６１７９４号明細書
【特許文献４】米国特許第５，７６１，０８４号明細書
【特許文献５】米国特許第６，６２５，７３６号明細書
【発明の概要】
【発明が解決しようとする課題】
【０００７】
本発明の日的は、上記の種類のアセンブリ、そのようなアセンブリを有するコンピュータシステム、そのようなアセンブリを制御する方法を提供するものであり、そのようなアセンブリが上記の課題を解決する又は軽減することである。この場合、全体としてのアセンブリ、特に、電源構成要素のための電源の故障安全性は、少なくとも１つの電源ユニットが故障したときでさえ、保証されるように意図されている。エネルギーバランスが有利に、従来のアセンブリに比べて改善されるように意図されている。更に、そのアセンブリは、最も単純な可能な構成を有するように意図され、高いコストパフォーマンスで製造することができるように意図されている。
【課題を解決するための手段】
【０００８】
上記の目的は、少なくとも１つの入力側電源電圧及び少なくとも１つの電力消費構成要素から出力側動作電圧を生成する少なくとも２つの電源ユニットを有するアセンブリにより達成される。電力消費構成要素は、第１の電力消費による少なくとも１つの通常動作モードで動作されることが可能であり、第１の電力消費より小さい少なくも１つの第２の電力消費による限定された動作モードで動作されることが可能であり、通常動作モードにある電力消費構成要素の第Ｉ電力消費は、複数の電源ユニットの組み合わされた出力電力より小さく、その結果、電源ユニットの第１サブグループは通常動作モードにおいて必要な電力を供給するのに十分であり、電力ユニットの第２の少ないサブグループ、特に個別の電源ユニットは、制限された動作モードにおいて必要な電力を供給するのに十分である。
そのアセンブリはまた、少なくとも２つの電源ユニット及び電力消費構成要素に結合された制御ユニットを有し、少なくとも２つの電源ユニットの機能をモニタし、この電源ユニットが通常動作モードにおいて必要な電力を供給する必要がない場合に少なくとも１つの電源ユニットを非アクティブにするように設定されていて、残りの電力ユニットの結合された出力電力が電力消費構成要素の通常動作モードにおける第１電力消費より小さい場合に、第１サブグループの少なくとも１つの電源ユニットが故障したとき、制御手段はまた、通常動作モードから制限された動作モードに電力消費構成要素を切り換えるように設定されていて、その結果、電力消費構成要素の電力消費は少なくとも一時的に低減される。
【０００９】
そのようなアセンブリは、通常必要とされない全電力を有する複数の冗長化された電源ユニットが備えられているときでさえ、略最大出力において個別の電源ユニットの高効率な動作が保証される有利点を有する。そのようなアセンブリは、通常必要とされない全電力を有する複数の冗長化された電源ユニットが備えられているときでさえ、それらの電源ユニットの略最大出力電力で個別の電源ユニットの効率的な動作を保証することができる。例えば、通常動作モードで必要な電力消費の約５０％の出力電力を各々が供給する３つの電源ユニットを備えることが可能である。それら３つの電源ユニットの２つは通常、通常動作モードにおいて電力消費構成要素に電力供給するように用いられるが、２つの電源ユニットの不良のイベントにおいては、残りの第３の電源ユニットのみが、制限された動作モードにおいて電力消費構成要素に電力供給するように用いられる。少なくとも１つの電源ユニットが故障したときに、より小さい電力消費による制限された動作モードに電力消費構成要素を切り換える制御手段を用いることにより、更なる電源ユニットなしで済ますことが可能になり、又は、既存の電力ユニットの相当すう大きいディメンジョニングを可能にする一方、電力消費構成要素が電力を供給されることを同時に保証する。
【００１０】
有利な一実施形態に従って、制御手段はまた、少なくとも１つの電源ユニットが通常動作モードで必要な電力を電力消費構成要素に供給するのに失敗したときに、少なくとも１つの非アクティブにされた電源ユニットをアクティブにするように設定されている。そのような構成は、アセンブリが、エネルギー効率を同時に維持しながら、妨害されることなく動作されることを可能にする。
【００１１】
有利な一実施形態に従って、制御手段は、少なくとも１つの電源ユニットが故障したときに、所定の制御信号を生成する少なくとも１つのモニタリング装置と、制御信号が受信されたときに、モニタリング装置に結合され、電力消費構成要素をスロットリングするように意図されているスロットル装置と、を有する。電源ユニットをモニタリングするモニタリング装置及び電力消費構成要素をスロットリングするスロットル装置を使用することにより、他方で、制御手段の特に単純なモジュール設計が可能になる。特に、電源ユニットの既存のモニタリング装置及び／又は電力消費構成要素のスロットル装置は、本発明に従って制御手段を実施するように用いられることが可能である。
【００１２】
有利な一実施形態に従って、電力消費構成要素はプロセッサコアを有し、スロットル装置は、動作クロックをプロセッサコアに供結するクロック発生回路を有し、プロセッサコアは、クロック発生回路により通常動作モードにおいては第１動作クロックが供給され、制限された動作モードにおいては低い第２のクロックが供給される。電力消費構成要素の電力消費は、プロセッサコアのためのクロック発生回路を適切に駆動する又は接続することにより容易に減少されることが可能である。
【００１３】
他の有利な実施形態に従って、プロセッサコア及びクロック発生回路は、プロセッサ内に配置され、そのプロセッサは所定の制御信号を適用するための少なくとも１つの接続ピンを有する。接続ピンは、処理の内部クロック発生回路に外部制御信号を容易に供給するように用いられることが可能である。
【００１４】
他の有利な実施形態に従って、少なくとも２つの電源ユニットの各々は、許容出力電力又は許容出力電流をモニタするように意図され、許容出力電力又は許容出力電流を上回ったことを検出した時点で、所定の制御信号を生成するように設定されたモニタリング装置を有する。電源ユニットに統合され、出力電力又は出力電流をモニタリングするように意図されたモニ夕リング装置は、必要な制御信号を生成するように特に簡単な様式で用いられることが可能である。
【００１５】
他の有利な実施形態に従って、少なくとも１つのモニタリング装置は、出力側動作電圧を所定の闘値と比較して、その所定の閏値を下回る場合に所定の制御信号を生成するように設定されている電圧モニタリング回路を有する。そのような電圧モニタリング回路は、電源ユニットの故障に関連付けられる電圧降下が簡単な且つ迅速な方法で決定されるようにする。
【００１６】
基本的な目的は、上記の実施形態の１つに従った少なくとも１つのアセンブリと、制御手段に結合され、少なくとも１つの電源構成要素が故障したときに不良状態の信号を送るように設定された少なくとも１つの管理構成要素と、を有するコンピュータシステムにより同様に達成することができる。制御手段に結合された管理構成要素が不良状態の信号を送ることの結果として、そのコンピュータシステムは、電源ユニットの故障に対して反応することができる。
【００１７】
有利な一実施形態に従って、管理構成要素は、通信装置を介して遠隔保守システムに結合され、その遠隔保守システムに不良状態の信号を送るように設定されている。コンピュータシステムのシステム管理者は、遠隔保守システムに信号が送られる不良状態のために電源ユニットの故障について助言されることが可能である。
【００１８】
他の有利な実施形態に従って、管理構成要素は、コンピュータシステムの電力消費を減少させるように、不良状態の信号を送る時点でコンピュータシステムの構成を変えるように設定されている。コンピュータシステムの電力消費は、コンピュータシステムを再構成することにより電源ユニットの変えられた出力電力に適合される。
【００１９】
他の有利な実施形態に従って、管理構成要素は、制限された動作モードから通常動作モードに戻るように電力消費構成要素を切り替えるように構成を変えた後に、制御手段をリセットするように設定されている。故障した電源ユニットを用いることなく信頼できる状態でコンピュータシステムが現在も動作されるように、コンピュータシステムの構成が変えられた場合に、電力消費構成要素は、通常動作モードに戻るように切り替えられることが可能である。
【００２０】
他の有利な実施形態に従って、コンピュータシステムは、少なくとも２つの電源ユニットが共に、通常動作モードにおいてコンピュータシステムの第１電源消費に実質的に対応する出力電力を有する。電源ユニットは、通常動作モードにおけるコンピュータシステムの電力消費に従って電源ユニットのディメンジョニング（ｄｉｍｅｎｓｉｏｎｉｎｇ）により最適な効率を有する動作ポイントで動作されることが可能である。更に、高価でオーバーディメンジョンの電源ユニットなしで済ませることが可能である。
【００２１】
他の有利な実施形態に従って、コンピュータシステムは、少なくとも２つの電源ユニットの各々が特に、制限された動作モードでコンピュータシステムの第２の電力消費に実質的に対応する出力電力を有することを、特徴とする。コンピュータシステムは、１つを除いて電源ユニットの全てが、制限された動作モードにおけるコンピュータシステムの電力消費に従って電源ユニットのディメンジョニングにより故障した場合でさえ、高信頼性を有する様式で動作され続けることが可能である。
【００２２】
基本的な目的は、電力消費構成要素のために動作電圧を供給する複数の電源ユニット及び電力消費構成要素を有するアセンブリを制御する方法であって、通常モードにおいて電力消費構成要素の第１電力消費は複数の電源ユニットの結合された出力電力より小さく、その結果、電源ユニットの第１サブグループは通常動作モードにおいて必要な電力を供給するのに十分であり、電源ユニットの第２のより少ないサブグループ、特に個別の電源ユニットは、制限された動作モードにおいて必要な電力を供給するのに十分である方法であり、
−  少なくとも１つの電源ユニットが、この電源ユニットが通常動作モードで必要な電力を供給することが必要ない場合に、非アクティブにされるステップ；
−  少なくとも２つの電源ユニットが、少なくとも１つのモニタリング装置により故障についてモニタリングされるステップ；
−  少なくとも１つのモニタリング装置が、少なくとも１つのアクティブな電源ユニットの故障が検出された場合に、所定の制御信号を生成するステップ；及び
−  所定の制御信号が検出され、残りの電源ユニットの結合された出力電力が電力消費構成要素の通常動作モードにおける第１電力消費より低い場合に、電力消費構成要素が、第１電力消費による通常動作モードから第２の低い電力消費による制限された操作モードに切り替えられ、その結果、前記電力消費構成要素の電力消費は少なくとも一時的に低減される、ステップ；
を有する方法により最終的に達成される。
【００２３】
有利な一実施形態に従って、その方法は、少なくとも１つのモニタリング構成要素が、少なくとも１つの以前に故障した電源構成要素が再び動作の準備ができたことを検出した場合、制限された動作モードから通常動作モードに電力消費構成要素が切り替えられる付加的ステップにより特徴付けられる。その方法の付加的ステップの結果、アセンブリは、電源ユニットにおける一時的な不良が取り除かれたときに、通常動作モードに戻るように自動的に切り替えられることが可能である。
【００２４】
本発明の更なる有利な実施形態については、サブクレーム及び詳細説明において開示されている。本発明の例示としての更なる実施形態については以下で、図を用いて詳述して
いる。
【図面の簡単な説明】
【００２５】
【図１】本発明の第１実施形態に従った、２つの電源ユニット及び電力消費構成要素を有するアセンブリの模式図である。
【図２】本発明の第２実施形態に従ったアセンブリを制御する方法のフローチャートである。
【図３】本発明の第３実施形態に従ったアセンブリを有するコンピュータシステムを示す図である。
【図４】本発明の第４実施形態に従ったアセンブリの他の動作状態を示す図である。
【発明を実施するための形態】
【００２６】
図１は、２つの電源ユニット１Ａ、１Ｂを有するアセンブリを示す図である。その例示としての実施形態においては、電源ユニット１Ａ及び電源ユニット１Ｂの最大出力電力は各々において１００Ｗである。両方の電源ユニット１Ａ及び１Ｂは、共通の電圧入力２を介して、電源電圧３、例えば、２３５Ｖの主交流（ＡＣ）に接続されている。
【００２７】
電源ユニット１Ａ及び１Ｂの各々は、入力側電源電圧３から出力側直流（ＤＣ）電圧を供給する変換器回路４Ａ及び４Ｂを有する。例えば、変換器回路４Ａ及び４Ｂは、コンピュータシステムを動作する、例えば、３．３Ｖ、５Ｖ及び１２Ｖの１つ又はそれ以上の標準化された出力電圧を供給する変換器を切り替えることを可能にする。変換器回路４Ａ及び４Ｂの損傷を回避するように、電源ユニット１Ａ及び１Ｂの各々は、例示としての実施形態において、変換器回路４Ａ及び４Ｂの出力電流をモニタリングするモニタリング回路５Ａ及び５Ｂを有する。
【００２８】
第１ユニット１Ａ及び１Ｂのそれぞれの電圧出力６Ａ及び６Ｂはアセンブリの電源線７に結合されている。第１電源ユニット１Ａ及び第２電源ユニット１Ｂの出力電圧は、電力消費構成要素８、例えば、コンピュータシステムのプロセッサに、及び電源線７を介してクロック発生回路９に供給される。電力消費構成要素８及びクロック発生回路９は共に、２つの電源ユニット１Ａ及び１Ｂの出力電力に実質的に対応する入力電力を有する。
【００２９】
クロック発生回路９は、インタラプ夕１０を介して電力消費構成要素８に結合されている。インタラプタ１０はまた、制御線１１を介して第１電源ユニット１Ａ及び第２電源ユニット１Ｂのモニタリング回路５Ａ及び５Ｂに結合されている。制御線１１を介して適切な制御信号を供給することは、従って、クロック信号がクロック発生回路９から電力消費構成要素８に一時的に供給されないようにすることを、又はクロック信号の周波数を低くすることを可能にし、その結果、電力消費構成要素８の電力消費における急速な且つかなりの減少をもたらす。例えば、電力消費構成要素８の電力消費は、数ミリ秒の範囲内に半減される。
【００３０】
電源ユニット１Ａ及び１Ｂの一が図１に示す例示としての実施形態において故障した場合、尚も動作している電源ユニット１Ｂ又は１Ａにおける出力電流は急に塘加する．例えば、第１変換器回路４Ａが完全に故障した場合、電力消費構成要素８及びクロック発生回路９を動作させるための全体的な電流は、第２の電源ユニット１Ｂの変換器回路４Ｂにより供給されなければならない。従って、モニタリング回路５Ｂが応答して、制御線１１を介してインタラプタ１０に制御信号を送信する結果のために、第１変換器回路４Ｂの出力電流が所定のリミット値を上回る。インタラプタ１０において備えられている制御回路は、図１には図示していないが、制御信号の受信時にかなり短い時間内に略同時に電力消費構成要素の電力消費をクロック発生回路９が減少させることを保証する。クロック信号の遮断又は減少は特に、この目的のためには適切である。これは、残りの電源ユニット１Ｂがオーバーロードされないようにする。同時に、電力消費構成要素８の少なくとも瞬間状態が、更なる通知まで確保されることが可能である。
【００３１】
制限された動作モードにおいてアセンブリを動作させるための、及び通常動作モードを回復させるための更なる手段について説明する前に、基本的な制御方法について、図２におけるフローチャートを用いて先ず、説明する。
【００３２】
ステップ２１及び２２においては、第１電源ユニット１Ａ及び第２電源ユニット１Ｂの出力変数について説明している。この出力変数は、例えば、それぞれの電源ユニット１Ａ又は１Ｂの瞬間の出力電力又は瞬間の出力電流であることが可能である。代替として、瞬間の動作電圧又は他のパラメータのレベルもモニタされることが可能である。
【００３３】
電源ユニット１Ａ及び１Ｂの全てが再び有効である場合に、又はモニタリングされるアセンブリの電力消費が他の方法で減少された場合に、電力消費構成要素８は、オプションのステップ２７において適切な制御信号により通常動作モードに戻るように切り替えられることが可能である。例えば、接続ピンＰＲＯＣＨＯＴにおける制御信号は撤回され、その結果、プロセッサコアのスロットリングはキヤンセルされる。
【００３４】
ステップ２８においては続いて、電力消費構成要素の動作クロックは、低い周波数ｆｍｉｎより高い通常の周波数ｆ０に再び増加される。
【００３５】
図３は、電源構成要素１３及びコンピュータユニット１４を有するコンピュータシステム１２を示している。コンピュータシステム１２は、データネットワーク１５を介して遠隔保守システム１６に接続されている。
【００３６】
コンピュータシステム１２の電源構成要素１３は、関連電圧入力２Ａ乃至２Ｃにより多相電源ネットワークの異なる相に接続されている３つの電源ユニット１Ａ乃至１Ｃを有する。電源ユニット１Ａ乃至１Ｃの各々は、図３に示されていず、入力側電源電圧を出力側ＤＣ電圧に変換し、それらを電源構成要素１３の共通電圧出力６において供給する。
【００３７】
コンピュータシステム１２のコンピュータユニット１４は、電圧出力６を介して動作電圧が供給される。特に、動作電圧は、電源線７を介して、２つのプロセッサ１７Ａ及び１７Ｂ、通信装置１８、管理構成要素１９及び一次クロック発生回路９に供給される。一次クロック発生回路９は、プロセッサ１７Ａ及び１７Ｂ並びに管理構成要素１９に外部クロック信号を供給する。
【００３８】
プロセッサ１７Ａ及び１７Ｂの各々は、プロセッサコア３４Ａ及び３４Ｂ並びに二次クロック発生装置３５Ａ及び３５Ｂを有する。例えば、二次クロック発生装置３５Ａ及び３５Ｂは、複数の外部動作クロックであるプロセッサコア３４Ａ及び３４Ｂについての内部動作クロックを生成するように一次クロック発生回路９の外部動作クロックを用いるクロック逓倍器又はクロック比規定手段である。
【００３９】
プロセッサコア３４Ａ及び３４Ｂの内部動作クロックを生成する又は規定する他のクロック発生回路又は変換回路も案出可能であることはいうまでもないことである。
【００４０】
管理構成要素１９は、データバス３０を介してプロセッサ１７Ａ及び１７Ｂ並びに通信装置１８に接続されている。管理構成要素１９は、問い合わせし、必要に応じて、コンピュータユニット１４の個々の構成要素の動作状態を変えるように用いられることが可能である。例えば、管理構成要素１９は、プロセッサ１７Ａ及び１７Ｂに依存しない、そしてコンピュータユニット１４をモニタリングするように意図されている制御プログラムが実行されている、所謂、サービス管理モジュールである。代替として、管理ソフトウェアは、別箇のモニタリングモジュールの代わりにプロセッサ１７Ａ又は１７Ｂの一においても、実行されることが可能である。通信装置１８は、動作状態の信号を送り、また、データネットワーク１５を介して遠隔保守システム１６からコンピュータシステム１２において遠隔保守を実行することを可能にする。
【００４１】
例えば、複数の相線Ｌ１乃至Ｌ３の一の故障のために、電源ユニット１Ａ乃至１Ｃが故障したときでさえ、コンピュータユニットの高信頼性動作を保証するように、コンピュータユニット１４は、コンピュータシステム１２の動作電圧をモニタリングする電圧モニタリング回路３１を有し、その電圧は電圧出力６を介して出力される。図示されている例示としての実施形態においては、電圧モニタリング回路３１は、電源ライン７と既知の基準電位、例えば、接地との間に接続されている第１レジスタ３２Ａ及び第２レジス夕３２Ｂを有する分圧器３２を有する。分圧器３２の中心タップは、所定の基準電圧耐Ｖｒｅｆでタップオフされる電圧を比較する比較器３３に接続されている。例えば、３つの電源ユニット１Ａ乃至１Ｃのうちの一が故障したために、電源線７の電腿が所定レベル以下になる場合、比較器３３はその出力において制御信号を生成する。比較器３３からの制御信号は、第１及び第２プロセッサ１７Ａ及び１７Ｂに、並びに制御線１１を介して管理構成要素１９に供給される。
【００４２】
電圧モニタリング回路３１が電源ユニット１Ａの故障時に電源線７における電圧降下と、制御線１１を介してプロセッサ１７Ａ及び１７Ｂへの前記電圧降下の信号を検出した場合、クロック比規定手段３５Ａ及び３５Ｂは、プロセッサコア３４Ａ及び３４Ｂの動作クロックを減少させる。これは、プロセッサ１７Ａ及び１７Ｂの消聲電力を低減し、その結果として、残りの機能電源ユニット１Ｂ及び１Ｃはコンピュータシステム１２に十分な動作電流を尚も供給することができる。この場合、プロセッサコア３４Ａ及び３４Ｂにおいて実行される処理は、低い速度ではあるが、実行され続け、その結果、コンピュータシステム１２の著しい混乱は生じない。
【００４３】
更に、管理構成要素１９は、電力ユニット１Ａ乃至孔Ｃの一が故障したことを検出し、有利な一実施形態においては、通信装置１８及びデータネットワーク１５を介して遠隔保守システム１６に不良状態の信号を送る。
【００４４】
他の実施形態に従って、管理構成要素１９は、更なる手段がコンピュータユニット１４
の消費電力を自動的に低減するようにさせることが可能である。例えば、コンピュータユニット１４を動作させるために絶対必要ではない構成要素はオフに切り替えられる。図３に示している例示としての実施形態においては、例えば、第２プロセッサコア３４Ｂにおいて実行される処理は、第１プロセッサのプロセッサコア３４Ａに転送されることが可能であり、第２プロセッサ１７Ｂはその場合に、完全にオフに切り替えられることが可能である。コンピュータユニット１４の消費電力が、信頼性高い電源が残りの電源ユニット１Ｂ及び１Ｃを用いて保証される範囲に対して、それらの手段又は比較手段により低減された場合、制御信号１１は撤回されることが可能であり、二次クロック発生回路３５Ａにより尚も動作されている第１プロセッサコア３４Ａに、十分な内部動作周波数が再び適用されることが可能である。
【００４５】
コンピュータシステム１２のフルパフォーマンスを回復させるように、遠隔保守システムを用いて呼び出されたサービスェンジニアは、欠陥のある電源ユニット１Ａを置き換えて、適切な電源電圧の供給を回復することが可能である。その保守作業が終了した後に、第２プロセッサ１７Ｂは続いて、管理構成要素１９により再びアクティブにされることが可能である。これは、例えば、電源線７における電圧上昇を自動検出する電圧モニタリング回路により、及び管理構成要素１９の対応するプログラムコードにより、自動的に実行されることが可能であり、若しくは、例えば、遠隔保守システム１６を介してサービスエンジニアによりマニュアルで初期化されることが可能である。
【００４６】
図３に示す実施形態の一有利点は、ハードウェア回路の形式にある電圧モニタリング３１が、電源ユニット１Ａ乃至１Ｃの一の故障に対して特に迅速な様式で対応することができる、及び、適切な制御信号、例えば、プロセッサ１７Ａ及び１７Ｂに適用されるＰＲＯＣＨＯＴ信号を用いて、コンピュータュニット１４の電力を即座に低減することが可能であることである。この目的のためには、コンピュータユニット１４と電源構成要素１３との間の別箇の制御線又は別箇の通信を必要としない。
【００４７】
更に、保守エンジニアが到着するまで、コンピュータシステムを動作させる複雑な手段が、管理構成要素１９によりコンピュータユニット１４の構成、有効なより遅いモニタリング及びダウンストリームと関連して実行されることが可能である。特に、電圧モニタリング回路３１は、プロセッサ１７Ａ及び１７Ｂの近くに備えられることが可能であり、プロセッサ１７Ａ及び１７Ｂの入力電圧の許容範囲を下回る前に、既に応答した様式でディメンジョニングされることが可能である。コンピュータシステム１２の高信頼性動作が、従って、常に保証されるのである。
【００４８】
図４Ａ乃至４Ｃは、３つの冗長化された電源ユニット１Ａ乃至１Ｃを有する更なるコンピュータシステム１２の異なる動作状態を示している。電源ユニット１Ａ乃至１Ｃは、例えば、共通の電圧入力２を介して、電源電圧３、例えば、主ＡＣ電圧に接続される。
【００４９】
出力側においては、電源ユニット１Ａ乃至１Ｃは、電源ユニット１Ａ乃至１Ｃの動作をモニタリングする共通制御回路３６に接続されている。制御回路３６はまた、個別の電源ユニット１Ａ乃至１Ｃのオン及びオフを意図的に切り替えるように設定されている。例えば、適切な制御信号が、この目的のために、電源ユニット１Ａ乃至１Ｃの各々の個々の電源ユニットに制御回路３６から送信されることができる。電源ユニット１Ａ乃至１Ｃは、例えば、電子的リレー又は電子的機械的リレーにより電圧入力２から変換器回路を切断することにより、又は切り替え変換器を駆動するためのクロック信号を遮断することにより、オフに切り替えられることが可能である。
【００５０】
制御回路３６はまた、電力線７及び制御線１１を介して、１つ又はそれ以上の電力消費構成要素、例えば、プロセッサ又は所謂、サーバブレードに接続され、その電力消費構成要素は、通常動作モード及び制限された動作モードにおいて動作されることが可能である。
【００５１】
図示している例示としての実施形態においては、電源ユニット１Ａ乃至１Ｃの各々は、例えば、５０Ｗの出力パワーを有する。電力消費構成要素８は、例えば、通常動作モードで１００Ｗの電力を消費する。対照的に、電力消費構成要素８は、制限された動作モード
において５０Ｗの電力のみを消費する。
【００５２】
コンピュータシステム１２の特に効率的な動作を確実にするように、制御回路３６は一般に、３つの有効な電源ユニット１Ａ乃至１Ｃのうちの２つのみをアクティブにする。例えば、図４Ａに示している状況下では、第３の電源ユニット１Ｃは非アクティブにされる−方、電源ユニット１Ａ及び１Ｂはアクティブにされる。電力消費構成要素８は、この状況下で、通常動作モードで動作される、即ち、フル消費電力にある。
【００５３】
図４Ｂに示している状況下では、第２電源ユニット１Ｂは、故障が生じた結果として非アクティブになっている。制御回路３６は、第２電源ユニットにおける不良の存在を検出し、第２の電源ユニット１Ｂの故障を補償するように第３の電源ユニット１Ｃを自動的にアクティブにする。電力消費構成要素８は、従って、電源ユニット１Ａ乃至１Ｃの一が故障したときでさえ、フル電力にあって第１動作モードで更に動作されることが可能である。
【００５４】
図４Ｃに示している状況下では、第３の電源ユニット１Ｃはまた、第２の電源ユニット１Ｂに加えて故障している。この場合、制御回路３６は、更なる電源ユニット１Ｃの故障を補償することはできない。残りの電源ユニット１Ａのみがオーバーロードしないように、電力消費構成要素８は制御線１１を介して適切な制御信号を供給される。電力消費構成要素８はその場合、例えば、最小動作周波数ｆｍｉｎに動作周波数正を減少させることにより、制限された動作モードに変えられ、その動作モードにおいて、その電力消費構成要素の消費電力は５０Ｗまで低下する。従って、３つの電源ユニット１Ａ乃至１Ｃのうちの２つが故障したときでさえ、コンピュータシステム１２の一定の動作が保証されることが可能である。
【００５５】
上記のように、図４Ａ乃至４Ｃに示している例示としての実施形態は、高いレベルの故
障安全性を有する。同時に、３つの電源ユニット１Ａ乃至１Ｃは、それらの略最大出力電
力で、従って、上記の状況の各々において最も高い効率で動作されることが可能である。
更に、電源ユニット１Ａ乃至１Ｃのみが通常動作モードにおいて電力消費構成要素８の動
作を与えることができるように、電源ユニット１Ａ乃至１Ｃの各々がディメンジョニング
される必要はない。
【００５６】
図４Ａ乃至４Ｃに関連付けて説明しているシステム、及びこの明細書において一般に説明している制御及びモニタリング装置は、モジュラサーバコンピュータを動作させるために特に適切である。例えば、所謂、ブレードサーバは、互いに殆ど独立している複数のサーバブレードを有し、コンピュータシステムのタスクを処理するために後者に備えられた１つ又はそれ以上のプロセッサを有する。ブレードサーバは同様に、一般に、互いに殆ど独立して動作されることが可能である複数の電源ユニットを有し、サーバブレード及び他の備えられている構成要素に動作電圧を供給する。ブレードサーバの消費電力は、本発明に従ったサーバブレード又は個々のプロセッサをオフに切り換えることにより、有効な電源ユニットに適合されることが可能であり、例えば、ブレードサーバの動作信頼性を疑うことなく、特定の複数のサーバブレードにおいて、他のサーバブレードにそのタスクを再分配することにより、全体としてブレードサーバを再構成することが可能である。
【００５７】
図示されている実施形態は例示としての複数のアセンブリであり、それらのアセンブリの特徴は、実際には何れかの好ましい方法で互いに比較されることが可能である。３つ又は４つ以上の電源ユニットを有する他のアセンブリはまた、上記の方法でモニタリングされ、制御されることが可能であることはいうまでもないことである。
【国際調査報告】
2012511199.tif 000009
2012511199.tif 000010
2012511199.tif 000011
2012511199.tif 000012
2012511199.tif 000013
2012511199.tif 000014